(57)【要約】  患者支持システムのドッキングステーションに解放可能に結合された流体圧力供給システムを提供するシステムおよび方法。１つまたは複数の結合方法は、流体圧力供給源と患者支持システムの患者支持部材との間に流体連通を提供することができる。【選択図】図１
2013513434.tif 000002
【特許請求の範囲】
【請求項１】
患者支持部材と、
フレームと、
ハウジング、流体圧力供給源および第１結合部材を備えた流体供給システムと、
前記流体供給システムに解放可能に結合するように構成されたドッキングステーションであって、前記第１結合部材に結合しかつ前記流体圧力供給源と前記患者支持部材との間の流体連通を提供するように構成された、第２結合部材を備える、ドッキングステーションと、
を具備することを特徴とする患者支持システム。
【請求項２】
請求項１に記載の患者支持システムにおいて、
前記流体圧力供給源が、ファン、エアブロワおよびエアポンプからなる群から選択されることを特徴とする患者支持システム。
【請求項３】
請求項１に記載の患者支持システムにおいて、
前記流体圧力供給が、前記患者支持部材に正の空気圧または負の空気圧を供給するように構成されることを特徴とする患者支持システム。
【請求項４】
請求項１に記載の患者支持システムにおいて、
フットボードをさらに具備し、前記ドッキングステーションが前記フットボードに組み込まれることを特徴とする患者支持システム。
【請求項５】
請求項１に記載の患者支持システムにおいて、
前記流体供給システムおよび前記ドッキングステーションが電気的結合部材を備えることを特徴とする患者支持システム。
【請求項６】
請求項１に記載の患者支持システムにおいて、
前記流体供給システムハウジングが、使用者が前記流体供給システムを前記ドッキングステーションから取り除くのを可能にするように構成されたハンドルを備えることを特徴とする患者支持システム。
【請求項７】
請求項１に記載の患者支持システムにおいて、
前記流体供給システムハウジングが制御パネルを備えることを特徴とする患者支持システム。
【請求項８】
請求項１に記載の患者支持システムにおいて、
前記流体圧力供給源と前記第１結合部材との間に第１導管をさらに具備することを特徴とする患者支持システム。
【請求項９】
請求項８に記載の患者支持システムにおいて、
前記第１導管に弁をさらに具備することを特徴とする患者支持システム。
【請求項１０】
請求項１に記載の患者支持システムにおいて、
前記第２結合部材と前記患者支持部材との間に第２導管をさらに具備することを特徴とする患者支持システム。
【請求項１１】
請求項１０に記載の患者支持システムにおいて、
前記第２導管が前記フレームと一体化されることを特徴とする患者支持システム。
【請求項１２】
請求項１に記載の患者支持システムにおいて、
前記流体供給システムが電力分配システムを備えることを特徴とする患者支持システム。
【請求項１３】
請求項１に記載の患者支持システムにおいて、
前記流体供給システムがマイクロコントローラを備えることを特徴とする患者支持システム。
【請求項１４】
請求項１に記載の患者支持システムにおいて、
前記流体供給システムおよび前記ドッキングステーションが保持部材を備えることを特徴とする患者支持システム。
【請求項１５】
請求項１に記載の患者支持システムにおいて、
前記流体供給システムが交流−直流（ＡＣ−ＤＣ）変換器を備えることを特徴とする患者支持システム。
【請求項１６】
請求項１５に記載の患者支持システムにおいて、
前記流体供給システムが、前記交流−直流（ＡＣ−ＤＣ）変換器に結合された電流センサを備えることを特徴とする患者支持システム。
【請求項１７】
患者支持部材に流体を提供する方法において、
患者支持システムを提供するステップであって、前記患者支持システムが、
フレームと、
ハウジング、流体圧力供給源および第１結合部材を備えた流体供給システムと、
前記流体供給システムに解放可能に結合するように構成されたドッキングステーションであって、前記第１結合部材に結合されかつ前記流体圧力供給源と前記患者支持部材との間の流体連通を提供するように構成された、第２結合部材を備える、ドッキングステーションと、
を備える、ステップと、
前記流体供給システムを前記ドッキングステーションに結合するステップと、
前記流体供給システムを、前記患者支持部材に流体を提供するように動作させるステップと、
を含むことを特徴とする方法。
【請求項１８】
請求項１７に記載の方法において、
前記患者支持システムがフットボードを備え、前記ドッキングステーションが前記フットボードに組み込まれることを特徴とする方法。
【請求項１９】
請求項１７に記載の方法において、
前記流体供給システムがマイクロコントローラおよび弁を備え、前記流体供給システムを、前記患者支持部材に流体を提供するように動作させるステップが、前記弁を開閉することを含むことを特徴とする方法。
【請求項２０】
請求項１７に記載の方法において、
前記第１結合部材が、前記流体供給システムが前記ドッキングステーションに結合されると前記第２結合部材に自動的に結合されることを特徴とする方法。
【請求項２１】
請求項１７に記載の方法において、
前記流体供給システムおよび前記ドッキングステーションが、各々保持部材を備え、前記流体供給システムを前記ドッキングステーションに結合するステップが、前記ドッキングステーションの前記保持部材部材を前記流体供給システムの前記保持部材に摺動可能に係合させることを含むことを特徴とする方法。
【請求項２２】
請求項１７に記載の方法において、
前記流体供給システムが第３結合部材を備え、前記ドッキングステーションが第４結合部材を備え、前記第３結合部材および前記第４結合部材が、前記流体供給システムと前記ドッキングステーションとの間の電気的接続を提供するように構成されることを特徴とする方法。
【発明の詳細な説明】
【技術分野】
【０００１】
関連出願の相互参照
本出願は、参照により本明細書に援用される米国仮特許出願第６１／２６７，９０１号明細書（２００９年１２月９日に出願）に対する優先権を主張する。
【背景技術】
【０００２】
一般に床ずれとも呼ばれる圧迫潰瘍の形成は、世界中で健康管理における継続中でありかつ費用のかかる問題である。軟組織に対する虚血は、圧迫潰瘍の形成に対する主な一因である。個人の骨突出とその人が着座しているかまたは横臥している支持面との間におけるさまざまな組織の圧縮により、圧迫が非常に短い期間（例えば１時間〜２時間の場合がある）にわたって高い場合、またはより低い圧迫がより慢性的な長期間にわたって生じている場合、細胞の死に至る可能性がある。患者支持面における過度の水蒸気により、圧迫潰瘍がもたらされる可能性もある。
【０００３】
したがって、患者支持装置に流体供給システムを組み込むことが望ましい場合が多い。流体（たとえば空気）供給システムを利用して、患者支持装置の一部を膨張させるかまたは収縮させることにより、患者の下の支持位置を変更することができる。流体供給システムを使用して、患者と患者支持体との間の中間面における水蒸気の低減を促進することも可能である。
【０００４】
通常の流体供給システムは、患者支持面の下に位置する構成要素を備え、かつ／または外部ホースおよび患者支持部材（例えばマットレスまたはベッドカバー）に対する接続を含むことが多い。こうしたシステムは、人間工学的問題をもたらし、看護師または医療提供者が患者に接近するのをより困難にする可能性がある。さらに、流体供給システムの構成要素が患者支持部材の下に組み込まれている場合、それらに接近することは困難である可能性がある。これにより、こうしたシステムおよび構成要素の保守がより困難となる可能性がある。
【０００５】
これらの問題に対処するシステムおよび方法は、医学界に有益であろう。
【発明の概要】
【０００６】
本開示の実施形態は、患者支持システムのドッキングステーションに解放可能に結合された流体圧力供給システムを提供するシステムおよび方法を含む。例示的な実施形態では、ドッキングステーションおよび流体供給システムにおける結合部材は、流体圧力供給源と患者支持部材との間に流体連通を提供することができる。特定の実施形態では、結合部材は、流体供給システムがドッキングステーションにドッキングした時に自動的に結合される。
【０００７】
特定の実施形態は、患者支持部材と、フレームと、ハウジング、流体圧力供給源および第１結合部材を備えた流体供給システムと、流体供給システムに解放可能に結合するように構成されたドッキングステーションとを備える患者支持システムを含み、ドッキングステーションは、第１結合部材に結合しかつ前記第１圧力供給源と患者支持部材との間の流体連通を提供するように構成された第２結合部材を備えている。
【０００８】
いくつかの実施形態では、流体圧力供給源はファンを備えている。特定の実施形態はまた、フットボードも備えることができる。いくつかの実施形態では、ドッキングステーションはフットボードに組み込まれる。所定の実施形態では、流体供給システムおよびドッキングステーションは、電気的結合部材を備えている。いくつかの実施形態では、流体供給システムハウジングは、使用者が流体供給システムをドッキングステーションから取り除くのを可能にするように構成されたハンドルを備えている。所定の実施形態では、流体供給システムハウジングは制御パネルを備えている。
【０００９】
特定の実施形態は、流体圧力供給源と第１結合部材との間に第１導管をさらに備えることができる。いくつかの実施形態は、第１導管内に弁を備えることができる。所定の実施形態は、第２結合部材と患者支持部材との間に第２導管を備えることができる。特定の実施形態では、第２導管はフレームと一体化されている。いくつかの実施形態では、流体供給システムは、電力分配システム、マイクロコントローラおよび／または保持部材を備えている。
【００１０】
特定の実施形態は、患者支持部材に流体を提供する方法を含むことができ、この方法は、上述したような患者支持システムを提供するステップと、流体供給システムをドッキングステーションに結合するステップと、流体供給システムを、患者支持部材に流体を提供するように動作させるステップとを含むことができる。
【００１１】
本発明の例示的な実施形態を、以下に詳細に示し説明しているが、当業者には、本発明の範囲から逸脱することなく変形および変更を行うことができることが明らかとなろう。したがって、以下の説明および添付図面に示すものは、限定としてではなく単に例示のために提供されている。本発明の実際の範囲は、以下の特許請求の範囲と、こうした特許請求の範囲に権利が与えられる均等物の全範囲とによって定義されることが意図されている。
【００１２】
さらに、当業者は、この開示を読み理解することにより、本明細書に記載の発明に対する他の変形を本発明の範囲内に含めることができることを理解するであろう。
【００１３】
以下の例示的な実施形態の詳細な説明（発明を実施するための形態）では、開示を簡素化する目的で、いくつかの実施形態においてさまざまな特徴がグループ化されている。この開示方法は、本発明の例示的な実施形態が、各請求項に明示的に列挙されているより多くの特徴を必要とするという意図を表すものとして解釈されるべきではない。むしろ、以下の特許請求の範囲が表すように、本発明の主題は、単一の開示された実施形態の必ずしもすべての特徴にあるとは限らない。したがって、以下の特許請求の範囲は、本明細書において、例示的な実施形態の詳細な説明に組み込まれており、各請求項は、別個の実施形態として独立している。
【図面の簡単な説明】
【００１４】
【図１】図１は、ドッキングステーションおよび流体供給システムを備えた患者支持システムの１つの限定しない例示的な実施形態の斜視図である。
【図２】図２は、第１の結合した位置における図１の実施形態のドッキングステーションおよび流体供給システムの斜視図である。
【図３】図３は、第２の部分的に切り離した位置における図１の実施形態のドッキングステーションおよび流体供給システムの斜視図である。
【図４】図４は、第３の完全に切り離した位置における図１の実施形態のドッキングステーションおよび流体供給システムの斜視図である。
【図５】図５は、図１の流体供給システムの正射影図である。
【発明を実施するための形態】
【００１５】
最初に、図１に示す例示的な実施形態を参照すると、患者支持システム１００は、患者支持部材１１０、フレーム１２０、流体供給システム１３０、および流体供給システム１３０に解放可能に結合するように構成されたドッキングステーション１４０を備えている。図２〜図５は、所定の特徴がよりよく見えるように、ドッキングステーション１４０および／または流体供給システム１３０のより詳細な図を示す。
【００１６】
例示的な実施形態では、患者支持部材１１０は、患者の下に配置されるように構成されたいかなる部材を備えることも可能である。患者支持部材の限定しない例として、マットレスとともに、マットレスと患者との間に配置されるように構成されたベッドカバーが挙げられる。所定の実施形態では、患者支持部材は、膨張可能なエアセルを備えたマットレスを含むことができる。例示的な実施形態はまた、患者との中間面における水蒸気レベルを低減するのを可能にするベッドカバーとして構成された患者支持体も備えることができる。
【００１７】
図示する例示的な実施形態では、流体供給システム１３０は、ドッキングステーション１４０に解放可能に結合されるように構成されている。この特定の実施形態では、ドッキングステーション１４０は、患者支持システム１００のフットボード１４１内に組み込まれている。他の実施形態では、ドッキングステーション１４０を、たとえばヘッドボード、フレームまたはサイドレールを含む、患者支持システムの他の構成要素に組み込むことができることが理解される。
【００１８】
図示する例示的な実施形態では、流体供給システム１３０は、ハンドル１３７（または使用者が把持するように構成された他の部材）を有するハウジング１３８を備え、ハンドル１３７により、流体供給システム１３０を、ドッキングステーション１４０から分離する（たとえば切り離す）ことができる。流体供給システム１３０の図示する例示的な実施形態はまた、電力分配システム１３１、マイクロコントローラ１３２、流体圧力供給源１３３および複数の結合部材１５１も備えることができる。特定の実施形態では、流体圧力供給源１３３は、ファンあるいはブロワまたは他の好適なエアムーバを備えることができる。図５では、流体圧力供給源１３３をハウジング１３８内にあるように示すが、他の実施形態では、流体供給圧力源１３３はハウジング１３８の外部であってもよい。いくつかの実施形態では、電力分配システム１３１は、変圧器、または電気的結合部材１５０、１５１からの電力をマイクロコントローラ１３２および／または流体圧力供給源１３３に分配するように構成された他の構成要素を備えることができる。
【００１９】
いくつかの実施形態では、流体供給システム１３０は、たとえばベッドカバーに空気流を提供するように構成されたエアムーバを含む他の構成要素に直流電流を供給する、交流−直流（ＡＣ−ＤＣ）変換器１９１を備えることができる。所定の実施形態では、ＡＣ−ＤＣ変換器１９１に結合された構成要素から引き出されている電流の量を検出するように、電流センサ１９２を組み込むことができる。特定の実施形態では、電流センサ１９２を使用して、エアムーバが機能しておりかつ所望の量の空気流を提供しているか否かを検出することができる。
【００２０】
図示する例示的な実施形態では、流体圧力供給源１３３は、一続きの導管１３４を介して結合部材１５１と流体連通している。さらに、複数の弁１５４（または他の流量制御部材）を、流体供給システム１３０内に配置することができる。マイクロコントローラ１３２を弁１５４に電気的に結合して、結合部材１５１に供給される流体の圧力および／または流量を制御することができる。この構成要素の列挙は単に例示的なものであり、他の例示的な流体供給システムは構成要素の異なる組合せを含むことができることが理解される。たとえば、マイクロコントローラ１３２および／または弁１５４を、ハウジング１３８の外側に（たとえばフレーム１２０内にまたはフレーム１２０に近接して）配置することができる。
【００２１】
いくつかの実施形態では、ハウジング１３８は、使用者が流体供給システム１３０のパラメータを制御することを可能にするように構成された制御パネル１３５を備えることができる。後により詳細に説明するように、流体供給システム１３０は、患者支持部材１１０に流体（たとえば空気）を提供するように構成されている。
【００２２】
図示する例示的な実施形態では、ドッキングステーション１４０は、流体供給システム１３０の結合部材１５１に結合するように構成された複数の結合部材１５０を備えている。いくつかの実施形態では、１つまたは複数の結合部材１５０および１５１を、流体圧力供給源１３３と患者支持部材１１０との間に流体連通を提供するように構成することができる。結合部材１５０および１５１の一部を、流体圧力または流量等のパラメータを制御するために電源接続および（たとえば電気的または空気圧式）制御接続を提供するように構成することも可能である。図示する実施形態では、結合部材１５０および１５１は、流体供給システム１３０がドッキングステーション１４０にドッキングした時に自動的に結合され得る（たとえば、使用者が追加の動作を必要とすることなく、流体供給システム１３０がドッキングした時に結合部材１５０および１５１が結合される）ように構成されている。
【００２３】
例示的な実施形態では、結合部材１５０の一部は、流体圧力が患者支持部材１１０に分配されるのを可能にする流体圧力伝達部材（たとえば導管）と流体連通している。所定の実施形態では、流体圧力伝達部材は、フレーム１２０に組み込まれている。動作中、マイクロコントローラ１３２は、弁１５４を開閉することができ、それにより、患者支持部材１１０へのまたは患者支持部材１１０の所定領域への流体圧力供給を制御する。
【００２４】
いくつかの実施形態では、流体圧力供給量を、患者支持部材１１０の第１部分に対して増大させることができ、一方で、患者支持部材１１０の第２部分に対して低減させることができる。これにより、患者支持面に対して交互圧力を供給することができ、それにより、患者に対する交互支持圧力を提供し、パーカッション治療（ｐｅｒｃｕｓｓｉｏｎ  ｔｈｅｒａｐｙ）および／または患者の寝返りを可能にすることができる。これにより、たとえば床ずれ、肺合併症、血餅および動けない患者の他の合併症を含む合併症を、患者が発症する可能性を低減することができる。
【００２５】
特定の実施形態では、流体圧力および／または流量を患者支持部材に提供することができ、患者支持部材は、患者と患者支持体との間の中間面における水蒸気を低減するように構成されたベッドカバーとして構成されている。所定の実施形態では、流体（たとえば空気）を、患者の下に配置されたベッドカバー内のスペーサ材料に提供することができる。いくつかの実施形態では、ベッドカバーに供給される流体を、正圧または負圧のいずれで提供してもよい。
【００２６】
いくつかの例示的な実施形態では、ベッドカバーにおける有効な水蒸気伝達に必要な空気流の量は、従来のローエアロス（ｌｏｗ  ａｉｒ  ｌｅｓｓ）マットレスと比較して低減する。これにより、流体圧力供給源１３３を、通常のローエアロスマットレスに関連する流体圧力供給源より小さくすることができる。こうしたサイズの低減により、流体圧力供給システム１３０のハウジング１３８の外形をより小さくすることができ、流体圧力供給システム１３０のより容易なドッキングを可能にすることができる。
【００２７】
図示する実施形態では、ドッキングステーション１４０および流体供給システム１３０は、それぞれ保持部材１４９および１３９を備えている。保持部材１４９、１３９は、流体供給システム１３０がドッキングステーション１４０にドッキングすると、流体供給システム１３０を保持するように構成されている。所定の実施形態では、保持部材１４９、１３９は、摺動係合部を含むことができる。特定の実施形態では、保持部材１４９、１３９は、ドッキングステーション１４０との流体圧力供給システム１３０の係合を固定するように構成された掛止部材を含むことができる。図示する実施形態では、流体供給システム１３０を、ハンドル１３７を把持して流体供給システム１３０をドッキングステーション１４０から引き離すことによって、ドッキングステーションから取り除くことができる。
【００２８】
流体供給システム１３０の構成要素を、ドッキングステーション１４０と結合するハウジング１３８等のモジュール式ユニットに組み込むことにより、他の設計に比較して多数の利点を提供することができる。流体供給システム１３０を、小型に配置することができ、かつ流体供給システム１３０は、より人間工学的設計を可能にすることができる。たとえば、外部ホースまたは接続を不要にすることにより、看護師または医療提供者が、患者支持部材１１０によって支持される患者により接近しやすくなるようにすることができる。さらに、流体供給システム１３０のモジュール式設計により、保守または試験用の構成要素の好都合な交換が可能になる。説明した利点は単に例示的なものであり、開示した設計により他の利点を提供することができることが理解される。
【図１】
2013513434.tif 000003
【図２】
2013513434.tif 000004
【図３】
2013513434.tif 000005
【図４】
2013513434.tif 000006
【図５】
2013513434.tif 000007
【国際調査報告】
2013513434.tif 000008
2013513434.tif 000009